(57)【特許請求の範囲】
【請求項１】
心線の外周に塗料を塗装するための分割塗装ダイスであって、
第１のダイス部と、
前記第１のダイス部の少なくとも一部を嵌込させて前記第１のダイス部を固定させる蟻溝を有する第２のダイス部と、を備え、
前記蟻溝は、前記第１のダイス部を嵌込させる方向に沿って先細りしたテーパーを有し、
前記第１のダイス部と前記第２のダイス部とが嵌合した状態において、前記第１のダイス部と前記第２のダイス部との界面に、前記心線を挿通させるための穴が設けられている、分割型塗装ダイス。
【請求項２】
前記第１のダイス部は、前記蟻溝に嵌込させる蟻ほぞを有する、請求項１に記載の分割型塗装ダイス。
【請求項３】
前記蟻溝は、前記第１のダイス部の全体と嵌合する、請求項１又は２に記載の分割型塗装ダイス。
【請求項４】
前記第１のダイス部及び前記第２のダイス部は、その外周に凸部を有する、請求項１〜３のいずれかに記載の分割型塗装ダイス。
【請求項５】
請求項１から４のいずれか１項に記載の分割型塗装ダイスの前記穴に、塗料が塗布された心線を通過させて、前記塗料の厚さを調整する工程と、
厚さを調整された前記塗料を焼き付けて絶縁皮膜を形成する工程と、
を含むエナメル線の製造方法。
【発明の詳細な説明】
【技術分野】
【０００１】
本発明は、分割型塗装ダイス及びエナメル線の製造方法に関する。
【背景技術】
【０００２】
従来、エナメル線の絶縁皮膜を形成するための絶縁塗料の塗装に用いられる塗装ダイスとして、分割型の塗装ダイスが知られている（例えば、特許文献１参照）。特許文献１に記載された塗装ダイスは、２分割構造のダイス本体と、ダイス本体の外周に嵌め込まれ、ダイス本体を保持するダイケースから構成される。
【０００３】
このような分割型の塗装ダイスは、非分割型の塗装ダイスと異なり、エナメル線の製造装置内を走行するエナメル線の心線を切断することなく心線の外周に取り外し及び取り付けを行うことが可能である。
【先行技術文献】
【特許文献】
【０００４】
【特許文献１】特開２００３−２９７１６４号公報
【発明の概要】
【発明が解決しようとする課題】
【０００５】
しかし、特許文献１に記載の分割型塗装ダイスを心線の外周に取り付けるためには、心線の外周に２つに分割されたダイス本体部材を互いにずれのない状態で保持し、そこへダイケースを嵌め込むという、作業者の熟練を要する難度の高い作業が必要となる。ダイス本体にずれが存在する場合、絶縁塗料の漏れ等の問題が生じるおそれがある。
【０００６】
そこで本発明の目的は、心線の外周への取り付け及び取り外しが容易な、分割型塗装ダイス及びそれを用いたエナメル線の製造方法を提供することにある。
【課題を解決するための手段】
【０００７】
（１）本発明の一態様によれば、上記目的を達成するため、心線の外周に塗料を塗装するための分割塗装ダイスであって、第１のダイス部と、前記第１のダイス部の少なくとも一部を嵌込させて前記第１のダイス部を固定させる蟻溝を有する第２のダイス部と、を備え、前記蟻溝は、前記第１のダイス部を嵌込させる方向に沿って先細りしたテーパーを有し、前記第１のダイス部と前記第２のダイス部とが嵌合した状態において、前記第１のダイス部と前記第２のダイス部との界面に、前記心線を挿通させるための穴が設けられている、分割型塗装ダイスが提供される。
【０００８】
（２）上記分割型塗装ダイスにおいて、前記第１のダイス部は、前記蟻溝に嵌込させる蟻ほぞを有してもよい。
【０００９】
（３）上記分割型塗装ダイスにおいて、前記蟻溝は、前記第１のダイス部の全体と嵌合してもよい。
【００１０】
（４）上記分割型塗装ダイスにおいて、前記第１のダイス部及び前記第２のダイス部は、その外周に凸部を有してもよい。
【００１１】
（５）また、本発明の他の一態様によれば、上記（１）から（４）のいずれか１つに記載の分割型塗装ダイスの前記穴に、塗料が塗布された心線を通過させて、前記塗料の厚さを調整する工程と、厚さを調整された前記塗料を焼き付けて絶縁皮膜を形成する工程と、を含むエナメル線の製造方法が提供される。
【発明の効果】
【００１２】
本発明の一態様によれば、心線の外周への取り付け及び取り外しが容易な、分割型塗装ダイス及びそれを用いたエナメル線の製造方法を提供することができる。
【図面の簡単な説明】
【００１３】
【図１】図１は、第１の実施の形態に係る分割型塗装ダイスの斜視図である。
【図２】図２（ａ）、（ｂ）は、それぞれ分割型塗装ダイスの上面図及び垂直断面図である。
【図３】図３（ａ）、（ｂ）は、それぞれ第１のダイス部と第２のダイス部の斜視図である。
【図４】図４（ａ）は、分割型塗装ダイスを保持するダイスホルダーの斜視図である。図４（ｂ）は、ダイスホルダーに保持された複数の分割型塗装ダイスの側面図である。
【図５】図５（ａ）は、ダイスホルダーの変形例の斜視図である。図５（ｂ）は、ダイスホルダーに保持された分割型塗装ダイスの変形例の側面図である。
【図６】図６（ａ）は、ダイスホルダーの変形例の斜視図である。図６（ｂ）は、ダイスホルダーに保持された分割型塗装ダイスの変形例の側面図である。
【図７】図７は、第２の実施の形態に係る分割型塗装ダイスの斜視図である。
【図８】図８（ａ）、（ｂ）は、それぞれ分割型塗装ダイスの上面図及び垂直断面図である。
【図９】図９（ａ）、（ｂ）は、それぞれ第１のダイス部と第２のダイス部の斜視図である。
【発明を実施するための形態】
【００１４】
［第１の実施の形態］
図１は、第１の実施の形態に係る分割型塗装ダイス１０の斜視図である。図２（ａ）は、分割型塗装ダイス１０の上面図であり、図２（ｂ）は、図２（ａ）の線分Ａ−Ａにおける分割型塗装ダイス１０の垂直断面図である。
【００１５】
分割型塗装ダイス１０は、第１のダイス部１１と、第２のダイス部１２から構成される。第１のダイス部１１と第２のダイス部１２は、それぞれ蟻ほぞ１１ａと蟻溝１２ａを有し、第１のダイス部１１と第２のダイス部１２は、蟻ほぞ１１ａと蟻溝１２ａを嵌合させる蟻継ぎにより接合される。
【００１６】
分割型塗装ダイス１０は、分割型塗装ダイス１０を用いて絶縁塗料を塗布するエナメル線の心線の進行方向が垂直に近い竪型のエナメル線塗装装置や、心線の進行方向が水平に近い横型のエナメル線塗装装置において用いられる。分割型塗装ダイス１０の形状は、図１、２に示されるような円筒形に限られない。
【００１７】
また、分割型塗装ダイス１０は、エナメル線の心線が通過する絞り穴１３を有する。第１のダイス部１１と第２のダイス部１２とが嵌合した状態において、第１のダイス部１１と第２のダイス部１２との接合界面に絞り穴１３が設けられているため、分割型塗装ダイス１０を第１のダイス部１１と第２のダイス部１２に分割することにより、絞り穴１３も分割される。これは、エナメル線を切断することなく、エナメル線の外周に分割型塗装ダイス１０の取り外し及び取り付けを行うためである。
【００１８】
絞り穴１３の平面形状は、図１、２に示されるような円形に限られず、例えば、四角形であってもよい。絞り穴１３の平面形状が四角形である分割型塗装ダイス１０は、平角エナメル線の絶縁被覆を形成するために用いられる。
【００１９】
また、分割型塗装ダイス１０は、その外周に凸部１４を有する。凸部１４は、後述するダイスホルダー１００が分割型塗装ダイス１０を保持するために用いられる。凸部１４の形状、大きさ、数等は図１、２に示されるものに限られず、ダイスホルダー１００の形状に依存する。
【００２０】
図２（ｂ）中の矢印はエナメル線の心線の進行方向を表す。図示しないが、心線を塗料槽を通過させて表面に塗料を塗布した後、分割型塗装ダイス１０の絞り穴１３を通過させて塗料の厚さを調整し、焼付炉で塗料を焼き付けてエナメル線の絶縁皮膜を形成する。通常、複数の分割型塗装ダイス１０を用いて、塗装、塗料の厚さ調整、焼き付けの工程を繰り返し、所望の厚さの絶縁皮膜を形成する。
【００２１】
図３（ａ）、（ｂ）は、それぞれ第１のダイス部１１と第２のダイス部１２の斜視図である。図３（ａ）、（ｂ）に示されるように、第１のダイス部１１の蟻ほぞ１１ａ及び第２のダイス部１２の蟻溝１２ａは、長さ方向にテーパーを有する。蟻溝１２ａは蟻ほぞ１１ａを嵌込させる方向に沿って先細りしたテーパーを有し、蟻ほぞ１１ａは蟻溝１２ａに嵌込する方向に沿って先細りしたテーパーを有する。
【００２２】
第１のダイス部１１と第２のダイス部１２を接合する際には、蟻ほぞ１１ａと蟻溝１２ａを合わせて、その長さ方向（通過する心線の長さ方向）に相対的に移動するようにスライドさせる。
【００２３】
このとき、蟻ほぞ１１ａと蟻溝１２ａはテーパーを有するため、第１のダイス部１１と第２のダイス部１２の上面と下面の位置が揃ったところでスライドしなくなり、固定される。このため、第１のダイス部１１と第２のダイス部１２の上面や下面の位置合わせに特別な技術や労力を必要としない。
【００２４】
なお、蟻ほぞ１１ａ及び蟻溝１２ａのテーパーの方向は図３に示されるものと逆であってもよい。その場合、第１のダイス部１１と第２のダイス部１２を接合する際の第１のダイス部１１と第２のダイス部１２をスライドさせる方向が逆になる。
【００２５】
図４（ａ）は、分割型塗装ダイス１０を保持するダイスホルダー１００の斜視図である。図４（ｂ）は、ダイスホルダー１００に保持された複数の分割型塗装ダイス１０の側面図である。
【００２６】
ダイスホルダー１００は、複数の凹部１０１を有し、分割型塗装ダイス１０は凹部１０１に嵌め込まれる。このとき、分割型塗装ダイス１０の凸部１４が上下をダイスホルダー１００に挟まれているためストッパーとして働き、分割型塗装ダイス１０が長さ方向（図４（ｂ）の上下方向）に動いてダイスホルダー１００から脱落することを防ぐ。
【００２７】
図５（ａ）は、ダイスホルダー１００の変形例であるダイスホルダー１００ａの斜視図である。図５（ｂ）は、ダイスホルダー１００ａに保持された分割型塗装ダイス１０の変形例である分割型塗装ダイス１０ａの側面図である。
【００２８】
ダイスホルダー１００ａは、複数の凹部１０１ａを有し、分割型塗装ダイス１０ａは凹部１０１ａに嵌め込まれる。分割型塗装ダイス１０ａはその上部と下部に凸部１４ａを有し、これらの凸部１４ａがダイスホルダー１００ａを挟むためストッパーとして働き、分割型塗装ダイス１０ａが長さ方向（図５（ｂ）の上下方向）に動いてダイスホルダー１００ａから脱落することを防ぐ。
【００２９】
図６（ａ）は、ダイスホルダー１００の変形例であるダイスホルダー１００ｂの斜視図である。図６（ｂ）は、ダイスホルダー１００ｂに保持された分割型塗装ダイス１０の変形例である分割型塗装ダイス１０ｂの側面図である。
【００３０】
ダイスホルダー１００ｂは、複数の孔１０１ｂを有し、分割型塗装ダイス１０ｂは孔１０１ｂに嵌め込まれる。分割型塗装ダイス１０ｂは下部に凸部１４ｂを有し、これらの凸部１４ｂがストッパーとして働き、分割型塗装ダイス１０ａが心線の進行方向（図６（ｂ）の上方向）に動いてダイスホルダー１００ｂから脱落することを防ぐ。通常、分割型塗装ダイス１０ｂ及びダイスホルダー１００ｂは、心線の進行方向が水平に近い横型のエナメル線塗装装置において用いられる。
【００３１】
分割型塗装ダイス１０及びダイスホルダー１００の形状は図４〜６に示されるものに限られず、また、ダイスホルダー１００に保持される分割型塗装ダイス１０の数も限定されない。
【００３２】
分割型塗装ダイス１０にとってダイスホルダー１００は必須ではないが、ダイスホルダー１００を用いることにより、エナメル線表面の粒（凸状欠陥部）からの衝撃等に起因して、万一、第１のダイス部１１と第２のダイス部１２にずれが生じた場合であっても、第１のダイス部１１と第２のダイス部１２が分離してエナメル線塗装装置から落下することを防止できる。
【００３３】
［第２の実施の形態］
第２の実施の形態は、第１のダイス部及び第２のダイス部の形状において第１の実施の形態と異なる。なお、第１の実施の形態と同様の点については、記載を省略又は簡略化する。
【００３４】
図７は、第２の実施の形態に係る分割型塗装ダイス２０の斜視図である。図８（ａ）は、分割型塗装ダイス２０の上面図であり、図８（ｂ）は、図８（ａ）の線分Ｂ−Ｂにおける分割型塗装ダイス２０の垂直断面図である。
【００３５】
分割型塗装ダイス２０は、第１のダイス部２１と、第２のダイス部２２から構成される。第１のダイス部２１と第２のダイス部２２は、それぞれ蟻ほぞ２１ａと蟻溝２２ａを有し、第１のダイス部２１と第２のダイス部２２は、蟻ほぞ２１ａと蟻溝２２ａを用いた蟻継ぎにより接合される。
【００３６】
また、分割型塗装ダイス２０は、第１の実施の形態にかかる分割型塗装ダイス１０の絞り穴１３及び凸部１４と同様の絞り穴２３及び凸部２４を有する。図８（ｂ）中の矢印はエナメル線の心線の進行方向を表す。
【００３７】
第１のダイス部２１と第２のダイス部２２の界面は絞り穴２３により分断されているため、分割型塗装ダイス２０を第１のダイス部２１と第２のダイス部２２に分割することにより、絞り穴２３も分割される。これは、エナメル線を切断することなく、エナメル線の外周に分割型塗装ダイス２０の取り外し及び取り付けを行うためである。
【００３８】
図９（ａ）、（ｂ）は、それぞれ第１のダイス部２１と第２のダイス部２２の斜視図である。図９（ａ）、（ｂ）に示されるように、第１のダイス部２１の蟻ほぞ２１ａ及び第２のダイス部２２の蟻溝２２ａは、長さ方向にテーパーを有する。
【００３９】
第１のダイス部２１と第２のダイス部２２を接合する際には、蟻ほぞ２１ａと蟻溝２２ａを合わせて、その長さ方向（通過する心線の長さ方向）に相対的に移動させるようにスライドさせる。
【００４０】
なお、蟻ほぞ２１ａ及び蟻溝２２ａのテーパーの方向は図９に示されるものと逆であってもよい。その場合、第１のダイス部２１と第２のダイス部２２を接合する際の第１のダイス部２１と第２のダイス部２２をスライドさせる方向が逆になる。
【００４１】
第１の実施の形態に係る分割型塗装ダイス１０においては、蟻ほぞ１１ａが第１のダイス部１１の一部を占めるが、第２の実施の形態に係る分割型塗装ダイス２０においては、蟻ほぞ２１ａが第１のダイス部２１の全部を占める。すなわち、蟻溝２２ａは、第１のダイス部２１の全体と嵌合する。
【００４２】
（実施の形態の効果）
上記第１及び第２の実施の形態に係る分割型塗装ダイスは、第１のダイス部と第２のダイス部の２つの部材のみから構成されるため、３つ以上の部材から構成される従来の分割型塗装ダイスと比較して、エナメル線の外周への取り外し及び取り付けが容易であり、作業性に優れる。
【００４３】
また、上記第１及び第２の実施の形態に係る分割型塗装ダイスは、第１のダイス部と第２のダイス部の２つの部材のみから構成され、ダイス本体を外側から保持するダイケース等の部材を必要としないため、小型化することができる。このため、複数の塗装ダイスを並べて用いるときの配置ピッチを小さくすることができ、エナメル線塗装装置を小型化したり、エナメル線塗装装置を大型化することなくエナメル線のパスライン上の塗装ダイスの数を増やしたりすることができる。
【００４４】
また、上記第１及び第２の実施の形態に係る分割型塗装ダイスの第１のダイス部と第２のダイス部は、テーパーを有する蟻ほぞと蟻溝を用いた蟻継ぎにより接合されるため、第１のダイス部と第２のダイス部をずれることなく接合することが容易であり、これらのずれに起因する塗料漏れ等の問題を防止することができる。
【００４５】
なお、本発明は、上記実施の形態に限定されず、発明の主旨を逸脱しない範囲内において種々変形実施が可能である。
【００４６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００４７】
１０、１０ａ、１０ｂ、２０  分割型塗装ダイス
１１、２１  第１のダイス部
１１ａ、２１ａ  蟻ほぞ
１２、２２  第２のダイス部
１２ａ、２２ａ  蟻溝
１３、２３  絞り穴
１４、１４ａ、１４ｂ、２４  凸部
１００、１００ａ、１００ｂ  ダイスホルダー
【図１】
0005692110.tif 000002
【図２】
0005692110.tif 000003
【図３】
0005692110.tif 000004
【図４】
0005692110.tif 000005
【図５】
0005692110.tif 000006
【図６】
0005692110.tif 000007
【図７】
0005692110.tif 000008
【図８】
0005692110.tif 000009
【図９】
0005692110.tif 000010